(57)【要約】【課題】  フォークに滑り止め装置を簡単に着脱でき、フォークに載せたパレットの滑りを防止できるようにしたフォークの滑り止め装置を提供することを目的とする。【解決手段】  フォーク８の上面に沿わせる板部材１１と、板部材１１の上面に貼着された摩擦材１２と、板部材１１の幅方向の両側縁部から下向きに突出し、フォーク８の側面に当接させる左右のサイドストッパ１３と、両サイドストッパ１３に連結され、フォーク８の基端部後面に当接させる抜け止め部材１４とを備える。又、前記板部材１１と抜け止め部材１４との間にフォーク挿入口１５が形成される。これにより、簡単な作業で、短時間で滑り止め装置１０をフォーク８に装着したり、フォークから分解したりすることができる。【選択図】  図１
2005029353.tif 000002
【特許請求の範囲】
【請求項１】
フォークの上面に沿わせる板部材と、該板部材の上面に貼着された摩擦材と、該板部材の幅方向の側縁部から下向きに突出させて、上記フォークの側面に当接させる左右のサイドストッパと、上記フォークの基端部後面に受止められる抜け止め部材とが設けられ、上記抜け止め部材は上記サイドストッパ又は上記板部材に固定され、該抜け止め部材と該板部材との間には上記フォークを挿通するためのフォーク挿入口が形成されていることを特徴とするフォークの滑り止め装置。
【発明の詳細な説明】
【技術分野】
【０００１】
本発明は、フォークリフトにおけるフォークの滑り止め装置に関する。
【背景技術】
【０００２】
フォークに支持されたパレットがフォークの上面を滑ることを防止する技術としては、次掲の特許文献１に記載されているように、フォークの上面にゴムなどの高摩擦係数を有する摩擦材を貼り付ける技術がある。
【特許文献１】特開平１０−２９１７９３号公報
【発明の開示】
【発明が解決しようとする課題】
【０００３】
この従来の技術によれば、摩擦材が摩耗した時には、残留している摩擦材をフォークの表面から完全に除去してから新しい摩擦材を貼り付ける必要があり、摩擦材の交換が実際には困難であるという問題がある。
【０００４】
又、この従来例によれば、フォークに摩擦材を加硫焼付等により強力に貼付ける必要があるので、この貼着作業に多大の時間を要し、ユーザのニーズに対して即応できないという問題がある。この問題は、既製車の場合には、摩擦材を貼着するためにフォークを脱着する必要があるので深刻になり、既製車の中でも既にユーザに納車されている既納車の場合には、ユーザと工場の間を輸送する時間も必要となるので更に深刻になる。
【０００５】
ところで、フォークリフトにおいては、必要に応じてフォークの長さを延長するためにサヤフォークが用いられることがある。そこで、上面にゴム板を貼着したサヤフォークをフォークに装着することにより、パレットの滑りを防止することが考えられる。
【０００６】
しかし、サヤフォークはフォークの下面を覆う部材を備えているので、部品点数が多く、しかも、フォークの爪部よりも長いので重量になり、着脱作業性が悪いという問題が生じる。
【０００７】
本発明は、フォークに滑り止め装置を簡単に着脱でき、フォークに載せたパレットの滑りを防止できるようにしたフォーク滑り止め装置を提供することを目的とする。
【課題を解決するための手段】
【０００８】
この目的を達成するため、本発明は、  フォークの上面に沿わせる板部材と、該板部材の上面に貼着された摩擦材と、該板部材の幅方向の側縁部から下向きに突出させて、上記フォークの側面に当接させる左右のサイドストッパと、上記フォークの基端部後面に受止められる抜け止め部材とが設けられ、上記抜け止め部材は上記サイドストッパ又は上記板部材に固定され、該抜け止め部材と該板部材との間には上記フォークを挿通するためのフォーク挿入口が形成されていることを特徴とするという技術的手段を採用する。
【０００９】
上記発明によれば、斜め又は垂直にたてた状態でフォークに差込んで寝かせるという簡単な作業で、短時間で、フォーク上に滑り止め装置を装着でき、又、逆の手順で簡単に、かつ、短時間でフォークから滑り止め装置を撤去できるので、簡単に、かつ、短時間で滑り止め装置を着脱することができる。又、フォーク上のパレットの滑りを防止することができる。更に、滑り止め装置の部品点数を減らし、構造を簡略化し、重量を軽減することができる。
【発明の効果】
【００１０】
本発明によれば、フォークへの抜差しという簡単な作業で、かつ、短時間でフォークに着脱できるので、滑り止め仕様を求めるユーザのニーズに簡単に即応することができるという効果を得ることができる。
【００１１】
又、滑り止め装置ごと交換することにより、どこでも、簡単に、かつ、短時間で摩耗した摩擦材を交換することができ、例えば、既納車のユーザのところで摩耗した摩擦材を簡単に、かつ、短時間で交換できるという効果を得ることができ、適当な時期に滑り止め装置を交換することにより、パレット滑りによる荷崩れなどを確実に予防できるという効果を得ることができる。
【００１２】
更に、サヤフォークに摩擦材を貼着する場合に比べて、部品点数を少なくできる上、フォーク厚さに関係なく共用できるという効果も得ることができる。
【発明を実施するための最良の形態】
【００１３】
本発明の１実施例に係るフォークの滑り止め装置を図面に基づいて具体的に説明すれば、以下の通りである。
【００１４】
図１は本発明の１実施例に係るフォークの滑り止め装置の斜視図であり、図２はその縦断側面図であり、図３はその正面図であり、図４はこの滑り止め装置を装着したフォークリフトの側面図である。
【００１５】
図４に示すフォークリフトは、カウンタバランス型フォークリフトであり、車体１の前部に支持させた左右の駆動輪２と車体１の後部に支持させた操舵輪３とを用いて走行するようにしている。又、前記車体１の前部には伸縮マスト４の下端部がティルト可能に支持され、左右のティルトシリンダ５でティルト駆動するようにしている。更にこの伸縮マスト４にリフトブラケット６が昇降可能に支持され、このリフトブラケット６にフィンガーバー７と左右のフォーク８が支持され、昇降駆動装置９により前記リフトブラケット６、フィンガーバー７及び左右のフォーク８を昇降させるようにしている。
【００１６】
前記左右のフォーク８に装着される滑り止め装置１０は、前記図１ないし図３に示すように、板部材１１と、摩擦材１２と、左右のサイドストッパ１３と、抜け止め部材１４とからなる。
【００１７】
前記板部材１１は、高機能合成樹脂で形成してもよいが、コスト、強度、表面硬度、加工性などを考慮して鉄板で構成される。もちろん、板部材１１の材質はこれらに限定されることはなく、これらの他に鋼などの他の鉄合金、アルミ合金など他の金属を用いることができる。
【００１８】
この板部材１１はフォークリフトのフォーク８の幅と同等の幅と該フォーク８に支持されるパレットの奥行きに対する適当な長さとを有し、上面に前記摩擦材１２が貼着される。
【００１９】
ここで、前記板部材１１のパレットの奥行きに対する適当な長さとは、積荷及びパレットの転覆を防止できる長さであることが理想であり、従って、フォーク８の爪部８ａの長さと同等であってもよい。しかし、パレットのフォーク先端方向への転覆はフォーク８により防止されるので、この実施例では、軽量化を図るために、フォーク８の爪部８ａよりも短くしている。
【００２０】
この摩擦材１２の材質は、表面の摩擦係数及び表面硬度、荷物のＧ（横Ｇ及び加減速によるＧ）に対する機械的強度を考慮して適宜選択される。
【００２１】
ここで、摩擦材１２の表面の摩擦係数はパレットの材質、例えばＦＲＰに対する摩擦係数であり、パレットの重量とパレットの最大横Ｇ及び車体の急激な加減速によるＧに対してパレットが滑らない程度の摩擦係数であることが必要である。
【００２２】
又、例えば車体１の走行中にパレットが他物に牽制される等により、パレットがフォーク８に装着された摩擦材１２に対して強制的に移動される場合があり、この場合に摩擦材１２がパレットを傷付けることがなく、かつ、摩擦材１２の表面がパレットで傷付けられない程度の硬度を持つことが好ましい。またパレットにフォーク８を差し込む際に、パレットにより摩擦材１２を引っ掛けて捲れることを防止するために、摩擦材１２の前方端部の引っ掛かりを滑らかにするプレートを設けて保護することが好ましい。
【００２３】
摩擦材１２の横Ｇ及び加減速によるＧに対する機械的強度としては、摩擦材１２の上面に荷物のＧ（横Ｇ及び加減速によるＧ）が作用した時に摩擦材１２の歪みが破断歪未満であることが求められる。
【００２４】
この実施例では、摩擦材１２として合成ゴムを用いているが、耐摩レジンなどの合成樹脂を用いることができる。
【００２５】
前記摩擦材１２の平面形状は、平面視において前記板部材１１の平面投影と同じ形状に形成しているが、この平面投影内に収まる形状であっても、この平面投影からはみ出す形状に形成してもよい。
【００２６】
この摩擦材１２は、負荷を分散させて摩擦材１２の耐久性を高めるために、前記板部材１１の上面の全面に貼着されているが、板部材１１の上面に部分的に貼着することも可能である。
【００２７】
前記摩擦材１２を板部材１１に貼着する手法は、積荷のＧに耐えることができれば特に限定されず、前記板部材１１が鉄板からなり、摩擦材１２がゴムからなるこの実施例では、加硫接着（加硫焼付）などの公知の手法を採用している。
【００２８】
前記左右のサイドストッパ１３は、前記板部材１１の幅方向の両側縁部から、その全長にわたって連続して一様に下向きに突出させて設けられ、前記フォーク８の側面に当接させる。
【００２９】
これら左右のサイドストッパ１３の材質は、板部材１１と異なる材質を用いてもよいが、この実施例では、サイドストッパ１３と板部材１１とを同材質で構成することによりコストダウンを図っている。
【００３０】
なお、この実施例では、左右のサイドストッパ１３を帯板材を裁断して得、板部材１１を別の板材から板取りして得た後、互いに溶接して一体化しているが、１枚の板材から左右のサイドストッパ１３と板部材１１とを連続する展開図形状にプレスで打抜くと共に板部材１１とサイドストッパ１３とを折り分けるようにしてもよい。
【００３１】
ところで、左右のサイドストッパ１３は、前記板部材１１の一端よりも該板部材１１の長手方向に、該板部材１１の一端からフォーク８のフィンガー部８ｂの厚さよりも大きく延出され、この両サイドストッパ１３の延出先端部に前記抜け止め部材１４が固定され、この抜け止め部材１４と前記板部材１１及び摩擦材１２との間には上記フォーク８を挿通するためのフォーク挿入口１５が形成されている。
【００３２】
この抜け止め部材１４の材質は、コストダウンを図るために板部材１１及び左右のサイドストッパ１３と同じ鉄を用い、溶接により左右のサイドストッパ１３に固定している。
【００３３】
なお、図１においては、この抜け止め部材１４はフォーク８の踵８ｃの形状に対応させてカールさせているが、爪部８ａの厚さが異なる複数種類のフォーク８に対応させる場合には、抜け止め部材１４を垂直な平板で構成してもよい。
【００３４】
さて、この滑り止め装置１０は、例えば図５の側面図に示す手順でフォーク８に装着される。
【００３５】
先ず、フォーク８を地面から適当な高さに位置させ、図５に２点鎖線で示すように、フォーク８の先に、滑り止め装置１０を、その抜け止め部材１４を下にして、摩擦材１２がフォーク８のフィンガー部８ｂに向く姿勢で地面に置く。この後、滑り止め装置１０をほぼそのままの姿勢に保って、板部材１１及び摩擦材１２と抜け止め部材１４との間のフォーク挿入口１５にフォーク８の爪部８ａを差込み、所定の位置、例えば同図に１点鎖線で示すように、摩擦材１２がフォーク８のフィンガー部８ｂに当接する位置まで滑り止め装置１０をフォーク８に沿って移動させてから板部材１１及び摩擦材１２をフォーク８の爪部８ａの上に寝かせる。
【００３６】
これにより、滑り止め装置１０の左右のサイドストッパ１３がフォーク８の幅方向の両側面に当接して、滑り止め装置１０がフォーク８の幅方向に位置決めされる。又、抜け止め部材１４がフォーク８の踵部８ｃの後面に位置して、当該後面に受止められることにより、滑り止め装置１０がフォーク８から離脱することが防止される。
【００３７】
そして、このようにして滑り止め装置１０をフォーク８に装着することにより、フォーク８の爪部８ａの上に摩擦材１２が敷設され、この摩擦材１２を介して支持したパレットの滑りを防止できるようになる。又、この滑り止め装置１０は、これと逆の手順により、簡単に、かつ、短時間でフォーク８から分離できる。
【００３８】
このように、この滑り止め装置１０によれば、該滑り止め装置１０をフォーク８に差込んで寝かすという簡単な作業で、短時間でフォーク８に装着することができ、又、その逆の滑り止め装置１０を起こして抜取るという簡単な作業で、短時間で離脱させることができるので、例えば出荷時や納車時に標準仕様車のフォークにこの滑り止め装置１０を装着することにより、ユーザの滑り止め仕様のニーズに簡単に即応することができる。
【００３９】
又、摩耗した摩擦材１２の交換は、滑り止め装置１０ごと交換することにより、どこででも簡単に、かつ、短時間でできる。
【００４０】
更に、滑り止め装置１０の板部材１１と反対側の面は開放されているので、サヤフォークに摩擦材を貼着するものに比べると、部品点数が少なく、又、フォーク８の爪部８ａよりも板部材１１及び摩擦材１２が短いので軽量にでき、着脱作業の作業性を高めることができる。しかも、サイドストッパ１３の高さよりも厚さが薄いフォーク８はもとより、サイドストッパ１３の高さよりも分厚いフォーク８にも着脱することが可能である。
【００４１】
なお、上述した本発明の一実施例の抜け止め部材１４は板材で構成しているが、板材に代えて軸部材、パイプ材などの棒材を用いてもよく、棒材からなる抜け止め部材１４を用いる場合には、抜け止め部材１４をサイドストッパ１３から挿抜可能に設けてもよい。
【００４２】
図６の斜視図に示す本発明の他の実施例に係るフォークの滑り止め装置１０においては、左右のサイドストッパ１３の一方のみが板部材１１及び摩擦材１２の一端からこれらの長手方向に延出され、その延出されたサイドストッパ１３の延出先端部に抜け止め部材１４が固定される。前記抜け止め部材１４と板部材１１及び摩擦材１２との間に形成されるフォーク挿入口１５は、滑り止め装置１０の上面から一側面にわたって形成される。その他のこの実施例の構成は前記本発明の一実施例のそれらと同様である。
【００４３】
この実施例によれば、前記本発明の一実施例と同様にして滑り止め装置１０をフォーク８に着脱することができる他、フォーク８の幅方向からも滑り止め装置１０をフォーク８に着脱することができる。
【００４４】
例えば図６に２点鎖線で示すように、滑り止め装置１０をフォーク挿入口１５がフォーク８の踵８ｃに対向するようにして、該フォーク８と略平行に位置させ、フォーク８側のサイドストッパ１３がフォーク８の爪部８ａの上面より高くなるように滑り止め装置１０を傾けた状態で滑り止め装置１０をフォーク８側に移動させる。滑り止め装置１０を、延長したサイドストッパ１３がフォーク８の幅方向の側面に受止められるまで差込み、この後板部材１１及び摩擦材１２をフォーク８の爪部８ａの上に寝かせることにより装着でき、逆の手順により離脱させることができる。
【００４５】
この場合、フォーク８は地面に接していてもよい。これに対して、滑り止め装置１０をフォーク８の爪部８ａの先端から差込む場合には、フォーク８を地面から抜け止め部１４の板厚以上上昇させる必要がある。従って、フォーク８の横から着脱する方が作業性がよい。
【００４６】
この実施例のその他の作用ないし効果は前記本発明の一実施例のそれらと同様である。
【００４７】
図７の正面図に示す本発明の又他の実施例に係るフォークの滑り止め装置１０の板部材１１及び摩擦材１２はフォーク８よりも広幅に形成され、一方のサイドストッパ１３に板バネからなる間隔調整手段１６を支持させている。
【００４８】
この間隔調整手段１６は、前記一方のサイドストッパ１３の内側（フォーク８側）に該サイドストッパ１３の全長にわたって連続して（又は断続して）配置される。
【００４９】
又、この間隔調整手段１６は、サイドストッパ１３の内面に沿う下部１６ａと、この下部１６ａの上縁から斜め上方に連続する上部１６ｂとを備え、この上部１６ｂの上縁にフォーク８の側面を弾性的に受止める。
【００５０】
これによれば、前記間隔調整手段１６の弾性変形により左右のサイドストッパ１３とフォーク８との間に形成される間隙が埋められるので、滑り止め装置１０の製造寸法誤差により滑り止め装置１０がフォーク８の幅方向に遊動すること（ガタツキ）を防止できると共に、幅寸法が異なる複数種類のフォーク８に共用することができる。
【００５１】
この実施例のその他の構成、作用ないし効果は、前記本発明の一実施例又は他の実施例のそれらと同様である。
【００５２】
なお、この間隔調整手段１６は左右のサイドストッパ１３の両方に左右対称的に設けてもよく、又、板バネに代えて、長手方向に適当な間隔を置いてサイドストッパ１３にその板厚方向に螺進退可能に螺挿された複数本のボルト、ネジ軸などで間隔調整手段１６を構成してもよい。
【００５３】
図８の側面図に示す本発明の更に他の実施例に係るフォークの滑り止め装置１０は、オーダピッキングリフトに適用されるものであり、図９の側面図に示すように、オーダピッキングリフト２０は、車体２１の後部に伸縮マスト２２を備え、この伸縮マスト２２に運転台２３が昇降可能に支持され、この運転台２３のフロア２４の下面に左右のフォーク２５が固定される。これらのフォーク２５はフロア２４の後縁２４ａから所定の長さにわたって前方まで延長されている。
【００５４】
即ち、オーダピッキングリフト２０では、これらフォーク２５が床下に固定されている。そこで、この滑り止め装置１０は、サイドストッパ１３の前記フロア２４の下側に挿入される床下部分１３ａと、左右のサイドストッパ１３の端部どうしを連結する抜け止め部材１４とを１本の鋼線を折り曲げたもので構成している。
【００５５】
左右のサイドストッパ１３のフロア２４から後方に突き出る突出部分１３ｂは前記各実施例と同様に、フォーク２５に沿って連続する板材で構成されている。
【００５６】
この実施例のその他の構成、作用ないし効果は前記本発明の一実施例のそれらと同様である。
【００５７】
図１０の斜視図に示す本発明の又更に他の実施例に係るフォークの滑り止め装置では、前記板部材１１及び摩擦材１２がフォーク８よりも広幅に形成され、前記板部材１１は更に摩擦材１２及びサイドストッパ１３よりも長手方向に延出されると共に、この延出部分にフォーク８のフィンガー部８ｂが挿通されるフォーク挿入口１５が形成される。前記抜け止め部材１４は、このフォーク挿入口１５の反摩擦材側の辺部１４ａと、この辺部１４ａに連続するフォーク挿入口１５内の一部分を折り込んだ折り込み部１４ｂとで構成されている。
【００５８】
なお、この辺部１４ａ及び折り込み部１４ｂのいずれか一方は省略してもよい。
【００５９】
この実施例のその他の構成、作用ないし効果は前記本発明の一実施例のそれらと同様である。
【図面の簡単な説明】
【００６０】
【図１】本発明の斜視図である。
【図２】本発明の縦断側面図である。
【図３】本発明の正面図である。
【図４】本発明を装着したフォークリフトの側面図である。
【図５】本発明の装着手順を示す側面図である。
【図６】本発明の斜視図である。
【図７】本発明の正面図である。
【図８】本発明の斜視図である。
【図９】本発明を装着したオーダピッキングリフトの側面図である。
【図１０】本発明の斜視図である。
【符号の説明】
【００６１】
８  フォーク
１０  滑り止め装置
１１  板部材
１２  摩擦材
１３  サイドストッパ
１４  抜け止め部材
１５  フォーク挿入口
【図１】
2005029353.tif 000003
【図２】
2005029353.tif 000004
【図３】
2005029353.tif 000005
【図４】
2005029353.tif 000006
【図５】
2005029353.tif 000007
【図６】
2005029353.tif 000008
【図７】
2005029353.tif 000009
【図８】
2005029353.tif 000010
【図９】
2005029353.tif 000011
【図１０】
2005029353.tif 000012